(57)【要約】      （修正有）【課題】血液浄化器のポートとの接合面となる内壁部分を確実に洗浄することができ、装置の洗浄条件の如何にかかわらず、細菌の繁殖する虞のないカプラーを提供する。【解決手段】本発明のカプラー１（カプラー２）は、透析患者監視装置から延びる透析液供給ホース４１（透析液排液ホース４２）の先端に接続されたアダプター１１（アダプター２１）と、該アダプター１１（アダプター２１）のカップリング部１１２（カップリング部２１２）と血液浄化器３のポート３１（ポート３２）を反対方向から同時に液密に挿着可能な筒体１２（筒体２２）から構成される。【選択図】図１
2006142044.tif 000002
【特許請求の範囲】
【請求項１】
基端側にホース接触部を有し、先端側に血液浄化器のポートと実質的に同一形状のカップリング部を有し、カップリング部分の中間付近の外周に環状溝が設けられたアダプターと、該アダプターのカップリング部と前記血液浄化器のポートを反対方向から同時に液密に挿着可能な筒体、から構成されてなり、
前記環状溝と係合する環状リブを前記筒体の両側に設け、
前記環状リブに、筒軸心から放射方向に複数の溝を設け、
前記筒体の一端にアダプターのカップリング部分が挿着され、前記筒体の他端に血液浄化器のポートが挿着される、
カプラー。
【請求項２】
前記環状リブに設けられた溝が、放射方向の略４方向となる位置に設けられた請求項１に記載のカプラー。
【請求項３】
前記アダプターは、外周にフランジが形成されていない請求項１又は２に記載のカプラー。
【発明の詳細な説明】
【技術分野】
【０００１】
本発明は、ホースと被接続体を接続するためにホース先端に設けられるカプラーに関し、より詳しくは、人工透析に際し、血液浄化器のポートと透析患者監視装置を接続するために、透析患者監視装置の透析液給排液ホース先端に好適なカプラーに関する。
【背景技術】
【０００２】
現在行われている人工透析では、主に中空糸型の血液浄化器が使用されており、血液浄化器の中に充填された中空糸の内側を血液が流れ、その外側を透析液が流れる。従来より、このような人工透析を監視するために透析患者監視装置が使用されており、この透析患者監視装置には、血液浄化器のポートを接続するための２本の透析液給排液用ホースが設けられている。そして洗浄の際には、図４に示すようにカプラージョイント６を透析液給排液用ホース先端のカプラー５に挿着して、透析患者監視装置を含む透析液循環ラインに洗浄液を循環させる。図４においてカプラー５は、内筒５１と、この内筒５１に入れ子状に設けられた外筒５２と、この外筒５２と内筒５１の間に設けられたコイルバネ５３とから構成され、外筒５２はコイルバネ５３により内筒５１の先端側に押圧されている。この状態では、内筒５１の係止突起５４が外筒５２の内壁によって押圧されて内側に突出しており、カプラージョイント６の頸部６１と係合してその脱落を防止している。外筒５２を内筒５１の後端側に押すと、コイルバネ５３が縮んで外筒５２が後端方向に移動し、内筒５１の係止突起５４が外筒５２の内径の大きくなった部分に出るので、カプラージョイント６の挿着と取り外しが可能となる。
【発明の開示】
【発明が解決しようとする課題】
【０００３】
しかしながら、上記のカプラー５は、血液浄化器のポートとの接合面となる内壁部分を確実に洗浄することができず、またホースから容易に取り外すことができないので、装置の洗浄条件（洗浄液の濃度や種類、温度、洗浄時間等の制約を受ける）によっては、細菌が繁殖する虞があった。本発明は如上の事情に鑑みてなされたもので、血液浄化器のポートとの接合面となる内壁部分を確実に洗浄することができ、装置の洗浄条件の如何にかかわらず、細菌の繁殖する虞のないカプラーを提供することを目的とする。
【課題を解決するための手段】
【０００４】
本発明者は上記目的を達成するために鋭意検討の結果、カプラーの部品点数を減らし、脱着自在の筒体を含む簡易な構成にすれば、血液浄化器のポートとの接合面となる内壁部分を確実に洗浄することができることを見出し、本発明に到達した。すなわち本発明は、基端側にホース接続部を有し、先端側に血液浄化器のポートと実質的に同一形状のカップリング部を有するアダプターと、該アダプターのカップリング部と前記血液浄化器のポートを反対方向から同時に液密に挿着可能な筒体、から構成されてなるカプラーである。ここで、血液浄化器のポートと実質的に同一形状のカップリング部とは、機能的に同等であることを表し、カップリング部を筒体に挿着しても、ポートを筒体に挿着しても、液密に挿着可能であることを意味し、必ずしもカップリング部とポートが同一形状であることを意味しない（カップリング部の長さや、後端側の形状がポートと同一でなくてもよい）。
【発明を実施するための最良の形態】
【０００５】
本発明の実施例を図面に基づいて説明する。図１は本発明のカプラーを血液浄化器のポートに接続している状態を示す説明図、図２は図１に示す筒体１２の拡大斜視図、図３は透析液循環ライン洗浄時の状態を示す説明図である。
【０００６】
図１に示すカプラー１（カプラー２）は、透析患者監視装置から延びる透析液供給ホース４１（透析液排液ホース４２）の先端に接続されたアダプター１１（アダプター２１）と、該アダプター１１（アダプター２１）のカップリング部１１２（カップリング部２１２）と血液浄化器３のポート３１（ポート３２）を反対方向から同時に液密に挿着可能な筒体１２（筒体２２）から構成される。
【０００７】
アダプター１１は、基端側に設けられたホース接続部１１１と、先端側に設けられたカップリング部１１２からなる。カップリング部１１２は、血液浄化器３のポート３１と実質的に同一形状であり、その中間付近には環状溝１１３が設けられている。アダプター１１の材質として特に限定はされないが、ステンレス等の錆びない金属やポリプロピレン、ポリスルフォン等の耐薬品性に優れた合成樹脂等が好ましく使用される。尚、ホース接続部１１１とカップリング部１１２は、一体に成形されても、別体で成形され固着されてもよい。
【０００８】
筒体１２は、アダプター１１のカップリング部１１２と血液浄化器３のポート３１を反対方向から同時に液密に挿着可能に形成されており、図１において、筒体１２の一端にはアダプター１１が挿着され、他端には血液浄化器３のポート３１が挿着されている。筒体１２内壁の両端には、アダプター１１の環状溝１１３に係合する環状リブ１２１および血液浄化器３のポート３１の頸部３１１に係合する環状リブ１２２が設けられている。そして必要ならば、図２に示すように環状リブ１２１、１２２には、アダプター１１と筒体１２の脱着が容易となるように、シール性を損なわない程度の複数の溝１２５、１２６を設けるのが好ましい。またシール性を向上させるために、筒体１２内壁の中央部に、アダプター１１および血液浄化器３のポート３１のそれ以上の進入を阻止する補助となる環状リブ１２３を設けてもよい。さらに、筒体１２の外壁には操作性が良くなるようにフランジ１２４を設けてもよい。筒体１２の材質として特に限定はされないが、耐薬品性に優れた合成樹脂や弾性体、例えばポリエチレン、ポリプロピレン、シリコーンゴム、ポリオレフィン系エラストマー等が好ましく使用される。
【０００９】
人工透析の際には、図１に示すように、カプラー１、２が血液浄化器３のポート３１、３２に接続される。人工透析が終了して透析液循環ラインを洗浄する際には、図３に示すように、透析液供給用ホース４１および透析液排液用ホース４２に設けられたカプラー１、２を血液浄化器３のポート３１、３２から取り外し、どちらか一方（例えば透析液排液ホース４２に接続された方）のカプラー２から筒体２２を取り外して、そのアダプター２１のカップリング部２１２を他方の筒体１２に挿着する。これにより、従来使用されていた透析液循環ライン洗浄用のカプラージョイントを用意する必要なく、洗浄液を循環させることができる。また、筒体１２、２２はアダプター１１、２１から取り外せる為、装置の洗浄条件（洗浄液の濃度や種類、温度、洗浄時間等の制約を受ける）の如何にかかわらず、自由度の高い洗浄方法を選択することが可能となる。尚、アダプター１１と筒体１２の接合面については、筒体１２を外した際にアダプター１１の表面を洗浄するかまたは拭き取ることにより、清潔にすることができる。さらに、筒体１２、２２をディスポーザブルとすれば、より清潔なカプラー１が得られる。
【００１０】
尚、本発明のカプラーは血液浄化器と透析患者監視装置を接続するためのものに限定されず、被接続体が血液浄化器のポートと実質的に同一形状であれば、どのようなものにも採用できる。
【００１１】
（発明の効果）
以上述べたように、本発明によれば、筒体を容易に取り外すことができるので、血液浄化器のポートとの接合面となる内壁部分を確実に洗浄することができ、装置の洗浄条件（洗浄液の濃度や種類、温度、洗浄時間等の制約を受ける）の如何にかかわらず、細菌の繁殖する虞がなくなる。特に、筒体をディスポーザブルとすれば、より清潔なカプラーが得られる。
【図面の簡単な説明】
【００１２】
【図１】本発明のカプラー１、２を血液浄化器のポートに接続している状態を示す説明図である。
【図２】図１に示す筒体１２の拡大斜視図である。
【図３】透析液循環ライン洗浄時の状態を示す説明図である。
【図４】従来のカプラーで透析液循環ラインを洗浄する状態を示す説明図である
【符号の説明】
【００１３】
１、２                  カプラー
１１、２１              アダプター
１１１、２１１          ホース接続部
１１２、２１２          カップリング部
１１３                  環状溝
１２、２２              筒体
１２１、１２２、１２３  環状リブ
１２４                  フランジ
１２５、１２６          溝
【図１】
2006142044.tif 000003
【図２】
2006142044.tif 000004
【図３】
2006142044.tif 000005
【図４】
2006142044.tif 000006